(57)【特許請求の範囲】
【請求項１】
複数個の入力導波路と、複数個の出力導波路とを有し、前記入力導波路と出力導波路との交差部において前記入力導波路に入力された各光信号の進路を切り換えて、前記出力導波路に光信号を出力する光信号切換装置であって、
前記交差部に配置され、前記光信号の進路を切り換える複数個の光スイッチと、
前記複数個の光スイッチの状態を制御することにより前記光信号の出力の形成を制御するスイッチ状態制御部とを備え、
前記光スイッチは、前記光信号に第１の進路をとらせる第１進路状態と前記光信号に前記第１の進路と異なる第２の進路をとらせる第２進路状態との２値状態に加えて、前記２値状態を両方とも部分的に有する状態である中間状態をとり、
前記光スイッチが、フィルム内に収納された前記導波路の交差部に位置し、その交差部を前記フィルムを含めて対角方向によぎる切れ込み部と、その切れ込み部の少なくとも反対の面側に位置し、その切れ込み部の開閉を行う押圧部材とを備え、前記スイッチ状態制御部が前記押圧部材の動きを制御する、光信号切換装置。
【請求項２】
前記スイッチ状態制御部は、前記光信号の出力をモニタする光信号モニタに接続される出力導波路にゼロ信号を生じないように、前記複数個の光スイッチの状態を制御する、請求項１に記載の光信号切換装置。
【請求項３】
前記光スイッチは、前記第１進路状態と前記第２進路状態との間の、これら２つの状態を段階的に所定の割合で含む中間状態をとることができ、前記スイッチ状態制御部は当該中間状態にわたって前記光スイッチを段階的に制御することができる、請求項１または２に記載の光信号切換装置。
【請求項４】
前記光スイッチが、縦横にマトリックス状に設けられた導波路の交差部である格子点に位置している、請求項１〜３のいずれかに記載の光信号切換装置。
【請求項５】
前記スイッチ状態制御部は、前記光スイッチの状態を変える状態間移行速度を光スイッチごとに変えることができ、前記スイッチ状態制御部は、前記光信号切換装置の切換開始の際、前記光スイッチのうち最初に切換開始する光スイッチの切換が終了する前に、少なくとも１個の光スイッチの切換が開始するように、前記切換を行う、請求項１〜４のいずれかに記載の光信号切換装置。
【請求項６】
前記複数個の光スイッチのうち、切換が早く始まる光スイッチほど前記状態間移行速度を小さくした、請求項５に記載の光信号切換装置。
【請求項７】
複数個の入力導波路と、複数個の出力導波路とを有し、前記入力導波路と出力導波路との交差部において前記入力導波路に入力された各光信号の進路を切り換えて、前記出力導波路に光信号を出力する光信号切換装置であって、
前記交差部に配置され、前記光信号の進路を切り換える複数個の光スイッチと、
前記複数個の光スイッチの状態を制御することにより前記光信号の出力の形成を制御するスイッチ状態制御部とを備え、
前記光スイッチは、前記光信号に第１の進路をとらせる第１進路状態と前記光信号に前記第１の進路と異なる第２の進路をとらせる第２進路状態との２値状態に加えて、前記２値状態を両方とも部分的に有する状態である中間状態をとり、
前記スイッチ状態制御部は、前記光スイッチの状態を変える状態間移行速度を光スイッチごとに変えることができ、前記スイッチ状態制御部は、前記光信号切換装置の切換開始の際、前記光スイッチのうち最初に切換開始する光スイッチの切換が終了する前に、少なくとも１個の光スイッチの切換が開始するように、前記切換を行い、
前記複数個の光スイッチのうち、切換が早く始まる光スイッチほど前記状態間移行速度を小さくした、光信号切換装置。
【発明の詳細な説明】
【０００１】
【発明の属する技術分野】
本発明は、光通信に用いられる光スイッチを備えた光信号切換装置に関するものである。
【０００２】
【従来の技術】
光伝送システムは、近年のインターネットに代表される光通信における伝送路として広範に導入されている。この光伝送システムは、光の伝送路に用いられる光ファイバと、光デバイスを含む各種の電子デバイスとで構成されている。光伝送システムでは、１本の光ファイバで大容量のデータを伝送するため、伝送路に障害が発生すると、その影響は甚大なものとなる。このため、光伝送システムには高度の信頼性が要求され、障害の発生に伴って予備的に光伝送を行う予備の伝送路を有している。従来は、電気信号により予備の伝送路に切り換え、伝送路本体の障害の復旧にともない予備の伝送路から伝送路本体への切り換えを行っていた。
【０００３】
光伝送システムの高信頼性を実現する装置として、光スイッチを用いた光信号切換装置がある。光信号切換装置は、従来、予備の伝送路への切り換え等の電気信号で処理していた部分を光信号のままで処理して、障害の復旧等に際して切り換えを行う。このような光信号切換装置の導入により、光伝送システムのネットワークがシンプルになり、光伝送システムに用いられる各種の電子デバイスを小型化し、かつ経済性を高めることができる。
【０００４】
上記の光伝送システムでは、光信号モニタと、光信号切換装置と、制御部とからなるデバイスを用い、光信号モニタで検出した光信号の入力断をトリガにして光スイッチの切り換えを行い、自動的な障害復旧の動作を行う。
【０００５】
図８は、従来の光スイッチを含む光信号切換装置を示す斜視図である。この光信号切換装置に用いられる各光スイッチ１１１は、押え板１０３によって押さえられた導波路収納シートであるフィルム状ポリマー１０２の光導波路１０５に対して設けられている。図９に示すように、導波路交差部において駆動機構（プッシュロッド）１０６を押さない通過状態（以下、オン状態と記す）では、導波路収納シート１０２は、切れ込み部で切れ込み端面１０２ａを密着させている。したがって、導波路１０５であるコアも、切れ込み部で密着している。このため、密着した切れ込み部に到達した光は、そのまま、切れ込み部を通り抜けてゆく。
【０００６】
これに対して、プッシュロッド１０６を押した進路変更状態または反射状態（以下、オフ状態と記す）では、図１０に示すように、プッシュロッド１０６が切れ込み端面１０２ａを片側から押し広げ、分離させ、切れ込み端面を空気と接触させるようにする。このため、屈折率の高い導波路を伝搬する光は、切れ込み端面から出射することができず、空隙１０９の空気層によって全反射して光の進行方向を略９０°変えて伝搬してゆく。
【０００７】
上記の機構によれば、図８において、導波路交差部における光接続がオン状態のとき、光入力Ｌ1，Ｌ2は、導波路の交差部の切れ込み端面１０２ａが密着した部分を連続して通りぬける。一方、導波路交差部における光接続がオフ状態のとき、入力された光Ｌ1，Ｌ2は、いずれも光スイッチの部分で全反射して、進行方向を略９０°変えて所定の方向に出力されてゆく。上記のように、１つのプッシュロッド１０６の押し引きにより、光の行先を切り換えるのが、従来の光スイッチの特徴である。
【０００８】
【発明が解決しようとする課題】
しかしながら、上記の光スイッチはいずれもオン状態とオフ状態の２値状態しかとることができない。このため、上記のように光スイッチを切り換えると、その光信号切り換えに伴って光信号の瞬断が生じる。この瞬断が生じると、光信号モニタにおいて、再度、光信号入力断が生じたと判断される。すなわち、単なる光スイッチの切り換えを行っただけなのに、光スイッチの切り換えにともなって生じる光信号の瞬断のために、光信号モニタは、再び光入力が断線したと誤認してしまう。
【０００９】
さらに、光スイッチの後段に光増幅器を配置した場合には、この光スイッチによる光信号の瞬断が、光増幅器に光サージを引き起こし、受光素子など他の光素子を破壊してしまうおそれがある。このため、光の入力断を検知してから光信号切り換えまでに一定の待ち時間を設けるなどの対策が提案されている（特開２０００−１３３１５号公報）。
【００１０】
しかしながら、このように待ち時間を設けることはネットワーク切り換えの遅延を引き起こすので望ましい解決策ではない。
【００１１】
本発明は、待ち時間を設けることなく、切り換えに際して瞬断を生じない光信号切換装置を提供することを目的とする。
【００１２】
【課題を解決するための手段】
本発明の１つの局面に従った光信号切換装置は、複数個の入力導波路と、複数個の出力導波路とを有し、入力導波路と出力導波路との交差部において入力導波路に入力された各光信号の進路を切り換えて、出力導波路に光信号を出力する光信号切換装置である。この光信号切換装置は、交差部に配置され、光信号の進路を切り換える複数個の光スイッチと、複数個の光スイッチの状態を制御することにより光信号の出力の形成を制御するスイッチ状態制御部とを備え、光スイッチは、光信号に第１の進路をとらせる第１進路状態と光信号に第１の進路と異なる第２の進路をとらせる第２進路状態との２値状態に加えて、２値状態を両方とも部分的に有する状態である中間状態をとる。光スイッチが、フィルム内に収納された導波路の交差部に位置し、その交差部をフィルムを含めて対角方向によぎる切れ込み部と、その切れ込み部の少なくとも反対の面側に位置し、その切れ込み部の開閉を行う押圧部材とを備える。スイッチ状態制御部が押圧部材の動きを制御する。
【００１３】
この構成により、光スイッチによって入力光信号から光信号の出力を形成する際、たとえば光信号モニタに接続された出力導波路における出力を、待ち時間などを設けることなく、ゼロにすることを防ぐことができる。極端な例を示すと、たとえば、全ての光スイッチが中間状態にあれば、出力導波路の出力がゼロになることはない。このような中間状態を維持しながら、各光スイッチの状態を２値状態のうちの所定の状態に近づけながら、すべての光スイッチを前記所定の２値状態のいずれかにすれば、出力をゼロにすることなく切換を行うことができる。このため、光信号モニタに断線などと誤認識されず、また、出力側の光増幅器等に光サージを波及させることもない。
また、光スイッチを非常にシンプルな構造で形成することができ、その結果、光信号切換装置自体もシンプルで制御しやすい構成とすることができる。上記の光スイッチでは、通過状態では導波路（コア）の全断面を密着させ、進路変更状態ではコアの全断面を分離させて間に空気層を介在させ、中間状態ではコアを部分的に密着させ、残りの部分は分離して空気層を介在させる。
【００１４】
なお、たとえば、上記２つの導波路が直線状の導波路である場合、光スイッチにおける上記第１進路状態は、光信号をそのまま通過させる通過状態であり、第２進路状態は、光信号が伝播してきた方向と交差する方向に進路を変更させる進路変更状態に対応する。また、言うまでもないが、上記のスイッチ状態制御部は、上記２値状態だけでなく中間状態のなかの２値状態の割合を連続的に制御できる構成にしてもよいし、その割合の特定の割合のみを離散的に選択して制御できる構成にしてもよい。
【００１５】
本発明の光信号切換装置では、スイッチ状態制御部は、光信号の出力をモニタする光信号モニタに接続される出力導波路にゼロ信号を生じないように、複数個の光スイッチの状態を制御することができる（請求項２）。
【００１６】
この構成により、光信号モニタに断線などと誤認識されることがなく、また、後段の光増幅器に光サージを波及させることもない。
【００１７】
なお、光信号モニタに接続される出力導波路は、その光信号切換装置に設けられる全ての出力導波路であってもよいし、任意の１本の出力導波路であってもよい。
【００１８】
本発明の光信号切換装置では、光スイッチは、第１進路状態と第２進路状態との間の、これら２つの状態を段階的に所定の割合で含む中間状態をとることができ、スイッチ状態制御部は当該中間状態にわたって光スイッチを段階的に制御することができる（請求項３）。
【００１９】
この構成により、光スイッチおよびスイッチ状態制御部をより多様性をもって組み立てることが可能となる。
【００２０】
本発明の光信号切換装置では、光スイッチが、縦横にマトリックス状に設けられた導波路の交差部である格子点に位置することができる（請求項４）。
【００２１】
この構成により、入力導波路を横向きに列状に並べ、出力導波路を縦に行状に並べることができる。このため、入力導波路および出力導波路の配置を密に小型化して形成し、光スイッチやスイッチ状態制御部もその格子点にコンパクトに配置することができる。この結果、光信号切換装置を小型化しかつ安価にすることができる。
【００２４】
本発明の光信号切換装置では、スイッチ状態制御部は、光スイッチの状態を変える状態間移行速度を光スイッチごとに変えることができる。スイッチ状態制御部は、光信号切換装置の切換開始の際、光スイッチのうち最初に切換開始する光スイッチの切換が終了する前に、少なくとも１個の光スイッチの切換が開始するように、切換を行う。
【００２５】
この構成により、各光スイッチの切換開始をずらしながら、各光スイッチが中間状態にある期間を任意に調整することができる。この結果、特定の出力導波路における切換時の出力値の落ち込みの大きさを容易に制御することが可能になる。また、任意の２格子点の光スイッチを両方とも中間状態にして重複させることができる。この結果、所定の出力導波路の出力をゼロにすることを容易に防止することができる。なお、最初に切換開始する光スイッチの切換が終了する前に切換が開始する光スイッチを、最後に切換開始する光スイッチとすることにより、特定の出力導波路における切換時の出力値の落ち込みの大きさをより確実に小さくすることが可能になる。
【００２８】
本発明の光信号切換装置では、複数個の光スイッチのうち、切換が早く始まる光スイッチほど状態間移行速度を小さくすることができる。
【００２９】
この構成によっても、光スイッチの間における中間状態の重複時間を長くとることができ、出力導波路における切換に伴う落ち込みをより一層軽減することが可能になる。また、出力導波路への出力をゼロにすることを容易に防止することが可能になる。
本発明の別の局面に従った光信号切換装置は、複数個の入力導波路と、複数個の出力導波路とを有し、入力導波路と出力導波路との交差部において入力導波路に入力された各光信号の進路を切り換えて、出力導波路に光信号を出力する光信号切換装置である。光信号切換装置は、交差部に配置され、光信号の進路を切り換える複数個の光スイッチと、複数個の光スイッチの状態を制御することにより光信号の出力の形成を制御するスイッチ状態制御部とを備える。光スイッチは、光信号に第１の進路をとらせる第１進路状態と光信号に第１の進路と異なる第２の進路をとらせる第２進路状態との２値状態に加えて、２値状態を両方とも部分的に有する状態である中間状態をとる。スイッチ状態制御部は、光スイッチの状態を変える状態間移行速度を光スイッチごとに変えることができ、スイッチ状態制御部は、光信号切換装置の切換開始の際、光スイッチのうち最初に切換開始する光スイッチの切換が終了する前に、少なくとも１個の光スイッチの切換が開始するように、切換を行う。複数個の光スイッチのうち、切換が早く始まる光スイッチほど状態間移行速度を小さくする。
【００３０】
【発明の実施の形態】
次に、図面を用いて本発明の実施の形態について説明する。
【００３１】
（実施の形態１）
図１（ａ）〜図１（ｅ）は、本発明の実施の形態１における光信号切換装置の光スイッチの切換過程を示す図である。本実施の形態における光スイッチは、２行２列（２×２）のマトリックススイッチである。以後の説明で、格子点を光スイッチの意味で用いることがある。この光スイッチ１１では、２つの入力端子INPUT１,INPUT２からの入力を２つの出力端子OUTPUT１,OUTPUT２に出力することができる。図１（ａ）ではINPUT１に入力した光をOUTPUT２に、またINPUT２に入力した光をOUTPUT１に出力するケースを示している。図１（ａ）において、INPUT１に入力した光をハッチング付き矢印で、またINPUT２に入力した光を白抜き矢印で示している。
【００３２】
また、図１（ｅ）の状態では、INPUT１に入力した光がOUTPUT１に、またINPUT２に入力した光がOUTPUT２に出力される。したがって、同じ入力をしながら、図１（ａ）の状態と図１（ｅ）の状態とは、出力が逆の関係にある。このように、図１（ａ）の状態から図１（ｅ）の状態に切り換える際に、光の瞬断を発生しない仕組みが、図１（ｂ）〜図１（ｄ）に示されている。すなわち、各光スイッチ１１の第１進路状態に対応する通過状態から、第２進路状態である進路変更状態（反射状態）への切り換えに中間状態、すなわち過渡応答の機能をもたせ、さらに最初に切り換えを開始した光スイッチ１１が切り換えを終了するまでに他の光スイッチの切り換えを開始させる。図１（ｂ）〜図１（ｄ）において、進路変更状態（反射状態）の割合の大きさを、白丸の中の黒丸の大きさで表わしている。
【００３３】
まず、図１（ａ）の時点において、光スイッチ(1,1)のオン状態からの切り換えが開始する。図１（ｂ）の時点では、光スイッチ(1,1)は通過状態から少し反射が起こる状態に変わる。このため、INPUT１からOUTPUT２に出力する光は弱くなる。一方、光スイッチ(1,1)で反射した光は、光スイッチ(2,1)が未だ反射状態のために光スイッチ(2,1)で反射して、光スイッチ(2,2)を通過する。この図１（ｂ）の時点で、光スイッチ(2,1)の切り換えが開始する。
【００３４】
次に、図１（ｃ）の時点において、光スイッチはさらに通過状態の成分が弱くなり反射状態の割合が増大する。また、光スイッチ(2,1)は反射状態から通過状態の割合を増し、少し光を通過し始める。このため、INPUT１からOUTPUT２に出力する光はさらに弱くなり、一方、光スイッチ(1,1)で反射した光は、光スイッチ(2,1)を少し通過して、OUTPUT１から出力し始める。また、INPUT２の光のうちOUTPUT１に出力する光は弱まる。しかし、光スイッチ(2,1)を通過するINPUT２の光は、光スイッチ(2,2)はまだ通過状態のために光スイッチ(2,2)を通過する。この時点において、光スイッチ(2,2)において切り換えが開始され、反射状態の割合が増え、通過状態の割合が減少し始める。
【００３５】
次に、図１（ｄ）の時点において、光スイッチ(1,1)では反射状態への切り換えが終了する。また、光スイッチ(2,1)では、さらに通過状態の割合が強まり、OUTPUT１から出力するINPUT１からの光が強くなる。一方、INPUT２の光は、一部は反射してOUTPUT１から出力し、残りは通過して、光スイッチ(2,2)で反射してOUTPUT２に出力し始める。
【００３６】
最後に、図１（ｅ）の時点において、すべての切り換えが終了する。
図２（ａ）〜図２（ｅ）は、各光スイッチの状態の時間推移と、出力OUTPUT１およびOUTPUT２との関係を示すタイムチャートである。各光スイッチは、時間差をもって切り換えを開始させる。ただし、最後に切り換えを開始する光スイッチ（2,2）は、最初に切り換えを開始した光スイッチ(1,1)が切り換えを終了する前にその切り換えを開始している。OUTPUT１およびOUTPUT２の出力は、INPUT１およびINPUT２からの光の比率を徐々に変えながら切り換わり、光出力はゼロにならない。
【００３７】
上記の説明では、中間状態における通過と反射との割合、すなわち過渡応答の成分が時間に対して線形に変化する場合を示したが、上記過渡応答の成分が時間に対して非線形に変化してもよい。また、図３（ａ）〜図３（ｅ）に示すように、階段状に段階的に過渡応答成分を変化させてもよい。
【００３８】
上記のマトリックススイッチでは、各光スイッチの通過と反射との間の切り換えに中間状態、すなわち過渡応答の成分を持たせている。さらに、最初に切り換えを開始した光スイッチの切り換えが終了するまでの間に、他の光スイッチの切り換えを開始させることにより、OUTPUT１とOUTPUT２との両方で、光が途切れることなく切り換えを実現することができる。この結果、待ち時間を設けることなく、光信号モニタに断線などと誤認識させずに切り換えを行うことが可能となる。
【００３９】
（実施の形態２）
図４（ａ）〜図４（ｅ）は、本発明の実施の形態２のマトリックススイッチにおける各光スイッチの中間状態の通過と反射との割合および出力のタイムチャートを示す図である。本実施の形態では、最初に切り換えを開始した光スイッチの過渡応答速度を小さくして、最後に切り換えを開始する光スイッチの過渡応答速度を大きくする。このため、最初に切り換えを開始した光スイッチでは、完全に成分が切り換わるのに長時間を要し、最後に切り換えを開始した光スイッチではそれよりも短時間で切り換えが完了する。
【００４０】
図４（ａ）と図４（ｃ）とを比較すると、最初に切り換えを開始した光スイッチ(1,1)が切り換えを終了する時点に、最後に切り換えを開始した光スイッチ(2,2)もまた切り換えを終了している。さらに、２番目に切り換えを開始した光スイッチ(2,1)もまた、他の光スイッチと同じ時点で切り換えを終了している。
【００４１】
これに対して、図２（ａ）と図２（ｃ）とを較して分かるように、実施の形態１では、光スイッチ(2,2)が切り換えを終了する時点では、すでに光スイッチ(1,1)は切り換えを完了している。
【００４２】
図４（ｄ）と図２（ｄ）とを比較して分かるように、この結果、OUTPUT２における光信号強度の最低値への落ち込みは、実施の形態１における落ち込み強度ｆ1よりも本実施の形態２における落ち込み強度ｆ2のほうが小さくなっている。すなわち、本実施の形態２におけるOUTPUT２の切り換え中の最低光強度は、実施の形態１における強度よりも高く、瞬断状態に近づかない状態にある。このため、より一層、光信号モニタが誤認識しにくい切り換え操作を行うことが可能となる。
【００４３】
上記のように、本実施の形態においてOUTPUT２の切り換え中の光強度低下が小さくなる理由は、最初に切り換えが始まる光スイッチ(1,1)の応答速度を遅らせ、応答時間を長くして、光スイッチ(2,1)および(2,2)の応答時間との重複時間を長くしたことによる。上記のように、各格子点における光スイッチの応答時間を制御するには、各光スイッチに電圧を印加する回路の時定数を制御することにより実現可能である。
【００４４】
（実施の形態３）
図５〜図７は、本発明の実施の形態３における光スイッチを説明する図である。本実施の形態では、導波路収納シートにポリイミドフィルムを用い、ポリイミドフィルム中に導波路を縦横に配置する。そして、導波路の交差部に、図５に示すように、対角方向に切れ込みを入れる。この切れ込みの開閉により光の進行方向を切り換える。切れ込みが閉じているときは、導波路を通る光はそのまま直進し、切れ込みが開いているときは、空気層により光は全反射して、進行方向が直角に曲がる。
【００４５】
切れ込みの開閉には、ピエゾアクチュエータ等の駆動部材を用いてポリイミドフィルムを押圧変形させることにより行う。上記の切れ込みが実施の形態１および２で説明した光スイッチ、または格子点に相当する。
【００４６】
本発明の光スイッチの特徴は、切れ込みの開閉において中間状態を意識して利用することである。図６は、そのような中間状態を示す光スイッチの断面図である。ポリイミドフィルムに収納された導波路は、通過状態と反射状態との間に、部分的に通過状態（密着状態）で、残りの部分が反射状態（分離状態）の中間状態をとることができる。密着状態の部分に行き当たる光は、そのまま通過する。しかし、分離状態の部分に行き当たる光は、空気層で全反射して進行方向を９０度変える。上記の導波路において、密着状態の厚みと分離状態の厚みとの割合は、通過状態と反射状態との割合に等しい。
【００４７】
図６は、通過状態（全密着状態）から反射状態（全分離状態）に移行する途中の段階を示す図である。この段階において、図６では、切れ込み部の上側の駆動部材も、下側の駆動部材も、ともにポリイミドフィルムに接触して、切れ込みの開き具合を制御しているが、上側の駆動部材はポリイミドフィルムに接触している必要はない。ただし、上記の段階においても、上下両方の駆動部材をポリイミドフィルムに接触させて、開き度を制御するほうが、制御の精度を向上させることができる。
【００４８】
このような過渡状態を利用するために、ピエゾアクチュエータ等の駆動部材の動きを制御する回路を設ける必要がある。図７は、本実施の形態における光導波路装置の部分を示す図である。図７に示すように、ピエゾアクチュエータの各々には、遅延制御変換器が接続されており、それら遅延制御変換器はすべて制御回路によって制御されている。このような制御回路と遅延制御変換器とを組み合わせてピエゾアクチュエータを稼動させることにより、ピエゾアクチュエータの移動速度を制御して、過渡状態を利用することができる。この結果、光スイッチの切り換え中に、光信号モニタが断線などと誤認識をする光出力ゼロの状態を生じることなく切り換えを行うことができる。この切り換えには、待ち時間を設ける必要がないので、ネットワーク切り換えの遅延を引き起こすことがない。
【００４９】
上記において、本発明の実施の形態について説明を行ったが、上記に開示された本発明の実施の形態は、あくまで例示であって、本発明の範囲はこれら発明の実施の形態に限定されない。たとえば、本発明の光信号切換装置における光スイッチは切れ込み部を開閉して光の進路を変えるタイプに限定されず、熱光学効果を用いた導波路光スイッチや、マッチングオイルを導波路交差点に設けた光スイッチであってもよい。本発明の範囲は、特許請求の範囲の記載によって示され、さらに特許請求の範囲の記載と均等の意味および範囲内でのすべての変更を含むものである。
【００５０】
【発明の効果】
本発明の光信号切換装置を用いることにより、光信号モニタによってモニタされている出力端子のいずれの出力端子の出力もゼロにすることなく光出力信号を切り換えることができる。この切換には、待ち時間を設ける必要がないので、遅延なくネートワーク切換の遅延を引き起こすことがない。
【図面の簡単な説明】
【図１】  本発明の実施の形態１のマトリックススイッチにおける切換過程を示す図である。（ａ）はINPUT１からOUTPUT２に出力され、INPUT２からOUTPUT１に出力される状態であり、（ｅ）はINPUT１からOUTPUT１に出力され、INPUT２からOUTPUT２に出力される状態であり、（ｂ）、（ｃ）、（ｄ）は、OUTPUT１とOUTPUT２との出力をゼロにすることなく、（ａ）から（ｅ）にいたる間の過渡的状態を示す図である。
【図２】  図１のマトリックススイッチにおける格子点での光スイッチの状態および出力端子の出力の時間推移を示すタイムチャートである。（ａ）は光スイッチ(1,1)であり、（ｂ）は光スイッチ(2,1)であり、（ｃ）は光スイッチ(2,2)であり、（ｄ）はOUTPUT２の出力であり、（ｅ）はOUTPUT１の出力である。
【図３】  光マトリックススイッチが階段状の応答をする場合の光スイッチの状態および出力端子の出力の時間推移を示すタイムチャートである。（ａ）は光スイッチ(1,1)であり、（ｂ）は光スイッチ(2,1)であり、（ｃ）は光スイッチ(2,2)であり、（ｄ）はOUTPUT２の出力であり、（ｅ）はOUTPUT１の出力である。
【図４】  本発明の実施の形態２における光スイッチの状態および出力端子の出力の時間推移を示すタイムチャートである。（ａ）は光スイッチ(1,1)であり、（ｂ）は光スイッチ(2,1)であり、（ｃ）は光スイッチ(2,2)であり、（ｄ）はOUTPUT２の出力であり、（ｅ）はOUTPUT１の出力である。
【図５】  本発明の実施の形態３における光信号切換装置を説明する図である。
【図６】  図５の光信号切換装置における光スイッチの過渡状態を示す断面図である。
【図７】  本発明の実施の形態３における光信号切換装置の構成概要図である。
【図８】  従来の光スイッチを示す概要図である。
【図９】  従来の光スイッチにおける通過状態（オン状態）を示す図である。
【図１０】  従来の光スイッチにおける進路変更状態（オフ状態）を示す図である。
【符号の説明】
２  導波路収納ポリイミドフィルム、３  押え板、５  導波路、６ａ，６ｂ  ピエゾアクチュエータ、１０  切れ込み部、１０ａ  通過状態の切れ込み部、１０ｂ  反射状態（進路変更状態）の切れ込み部、１１  光スイッチ、ｆ1，ｆ2  切換時のOUTPUT２における出力の落ち込み。
【図１】
0003926161.tif 000002
【図２】
0003926161.tif 000003
【図３】
0003926161.tif 000004
【図４】
0003926161.tif 000005
【図５】
0003926161.tif 000006
【図６】
0003926161.tif 000007
【図７】
0003926161.tif 000008
【図８】
0003926161.tif 000009
【図９】
0003926161.tif 000010
【図１０】
0003926161.tif 000011